(57)【要約】【課題】小型化および消費電力の低減を図ること。【解決手段】原稿を保持する原稿台ガラスに対して接離自在なＴＰＵユニット１２０に設けられた透過用光源部３１８と、原稿台ガラスを間にして透過用光源部３１８とは反対側に設けられた撮像素子と、を備えるスキャナ装置１００において、原稿台ガラスに対するＴＰＵユニット１２０の接離状態に応じて、モータから供給された駆動力によって撮像素子を走査方向に移動させる撮像素子移動機構２２３と、ＴＰＵユニット１２０に設けられて光源を走査方向に移動させる光源移動機構と、を連結機構３０９によって連動可能に連結するようにした。【選択図】図３
2007281664.tif 000002
【特許請求の範囲】
【請求項１】
原稿を保持する原稿台に対して接離自在なカバー部材に設けられた光源と、前記原稿台
を間にして前記光源とは反対側に設けられた撮像素子と、を備える画像読取装置において
、
前記撮像素子を前記走査方向に移動させる撮像素子移動機構と、
前記撮像素子移動機構に駆動力を供給する駆動源と、
前記カバー部材に設けられて前記光源を走査方向に移動させる光源移動機構と、
前記原稿台に対する前記カバー部材の接離状態に応じて、前記光源移動機構と前記撮像
素子移動機構とを連動可能に連結する連結機構と、
を備えることを特徴とする画像読取装置。
【請求項２】
前記連結機構は、前記カバー部材が、前記光源から照射された光を前記撮像素子によっ
て受光可能な状態にある場合に、前記光源移動機構と前記撮像素子移動機構とを連結する
ことを特徴とする請求項１に記載の画像読取装置。
【請求項３】
前記カバー部材の一端部と前記撮像素子を収容する本体ハウジングとを回動自在に連結
するヒンジ部を備え、
前記カバー部材は、前記ヒンジ部を介して前記本体ハウジングに対して回動することで
前記原稿台に対して接離自在とされていることを特徴とする請求項１または２に記載の画
像読取装置。
【請求項４】
前記駆動源は、前記本体ハウジングに設けられていることを特徴とする請求項３に記載
の画像読取装置。
【請求項５】
前記駆動源は、前記カバー部材に設けられていることを特徴とする請求項１に記載の画
像読取装置。
【請求項６】
前記光源は、ＬＥＤによって構成されていることを特徴とする請求項１〜５のいずれか
一つに記載の画像読取装置。
【請求項７】
請求項１〜６のいずれか一つに記載の画像読取装置と、
前記画像読取装置が備える撮像素子に入射された光の強弱に応じた画像を記録媒体上に
形成する画像形成装置と、
を備えることを特徴とする複合機。
【発明の詳細な説明】
【技術分野】
【０００１】
この発明は、画像読取装置および複合機に関する。
【背景技術】
【０００２】
従来、原稿を保持する原稿台に対して撮像素子と同じ側から照射されて原稿によって反
射された光の強弱を検出することによって原稿画像を光学的に読み取る反射型の読取機構
に加えて、原稿に対して光源とは反対側に、光源から照射された光を反射する反射板を設
けることによって、反射型および透過型の原稿画像を同じ読取機構によって読み取るよう
にした画像読取装置がある（たとえば、下記特許文献１参照）。
【０００３】
また、従来、原稿台を間にして対向配置された光源および撮像素子を備え、光源から照
射された光を撮像素子によって受光することで透過型の原稿を読み取る画像読取装置があ
る。このような画像読取装置における光源では、原稿全体を照射可能な広さの照射領域が
確保されている。
【０００４】
このような画像読取装置には、原稿を原稿台に押さえるとともに、撮像素子へ不要な外
光が入射することを防止するためのカバー部材を備える画像読取装置がある。カバー部材
を備える画像読取装置では、カバー部材に光源が設けられているものがある。光源として
は、蛍光管やＬＥＤなどが用いられる。
【０００５】
【特許文献１】特開平６−１７８０５９号公報
【発明の開示】
【発明が解決しようとする課題】
【０００６】
しかしながら、上述した特許文献１の技術では、透過型の原稿の読み取りに際して撮像
素子に結像される光は、透過型の原稿を２回透過した光であることから、原稿の厚み分に
応じたずれをもって原稿画像が二重に重なったが画像データが生成されるため、原稿を再
現した画像データの精度が元の原稿に対して低くなってしまうという問題がある。
【０００７】
これに対し、上述した従来の技術で説明したように、原稿台を間にして対向配置された
光源および撮像素子を備える画像読取装置においては、原稿の読み取りを精度よくおこな
うことができるが、使用する光源によってそれぞれ以下のような問題がある。
【０００８】
蛍光管を用いた光源では、光源を点灯してから読み取りが可能な光量に安定するまでに
時間がかかるという問題がある。また、原稿全体を照射可能な広さの照射領域を蛍光管を
用いた光源によって確保する場合、光源が大型化し、光源の大型化にともなって画像読取
装置が大型化するという問題がある。
【０００９】
また、ＬＥＤを用いた光源では、点灯直後から原稿画像の読み取りが可能になり、蛍光
管を用いた場合と比較して画像データにおけるノイズの発生を低減することができるが、
ＬＥＤ１個当たりの照射面積は限られているため、原稿全体を照射可能な広さの照射領域
を確保するためには複数のＬＥＤを設ける必要があり、このために光源が大型化し、光源
の大型化にともなって画像読取装置が大型化するという問題がある。また、単一の光源に
おいて複数のＬＥＤを用いた場合、ＬＥＤごとの光量のばらつきによって画像データの品
質が低下する、画像読取装置の製造コストが高くなってしまうという問題がある。
【００１０】
そして、上述したように、光源がカバー部材に設けられている画像読取装置では、蛍光
管あるはＬＥＤのいずれを用いる場合にも、光源の大型化にともなってカバー部材が大型
化すると、原稿をセットするためにカバー部材を動かす作業が煩わしいという問題がある
。
【課題を解決するための手段】
【００１１】
この発明にかかる画像読取装置は、原稿を保持する原稿台に対して接離自在なカバー部
材に設けられた光源と、前記原稿台を間にして前記光源とは反対側に設けられた撮像素子
と、を備える画像読取装置において、前記撮像素子を前記走査方向に移動させる撮像素子
移動機構と、前記撮像素子移動機構に駆動力を供給する駆動源と、前記カバー部材に設け
られて前記光源を走査方向に移動させる光源移動機構と、前記原稿台に対する前記カバー
部材の接離状態に応じて、前記光源移動機構と前記撮像素子移動機構とを連動可能に連結
する連結機構と、を備えることを特徴とする。
【００１２】
したがって、画像読取装置においては、カバー部材の接離状態に応じて、光源移動機構
と撮像素子移動機構とを連動させることができる。これによって、画像読取装置は、駆動
源の共通化による画像読取装置の小型化、および駆動源の共通化にともなう消費電力の低
減を図ることができる。これによって、利用者は、原稿台に対してカバー部材を接離させ
る作業だけで光源移動機構と撮像素子移動機構とを容易に連動させ、高精度な画像データ
を得ることができる。
【００１３】
また、上述した画像読取装置における前記連結機構は、前記カバー部材が、前記光源か
ら照射された光を前記撮像素子によって受光可能な状態にある場合に、前記光源移動機構
と前記撮像素子移動機構とを連結することを特徴とする。
【００１４】
したがって、画像読取装置においては、透過型の原稿の読み取りが可能な状態である場
合に限って、光源移動機構と撮像素子移動機構とを連動させることができる。これによっ
て、画像読取装置は、透過型の原稿を読み取る場合に限って光源移動機構と撮像素子移動
機構とを連動させることで、単一の駆動源によって光源移動機構と撮像素子移動機構とを
駆動することによる駆動源に対する負荷を必要最小限に抑えることができる。また、これ
によって利用者は、消費電力を必要最小限に抑えた画像読取装置を用いて、高精度な画像
データを得ることができる。
【００１５】
また、上述した画像読取装置においては、前記カバー部材の一端部と前記撮像素子を収
容する本体ハウジングとを回動自在に連結するヒンジ部を備え、前記カバー部材は、前記
ヒンジ部を介して前記本体ハウジングに対して回動することで前記原稿台に対して接離自
在とされていることを特徴とする。
【００１６】
したがって、画像読取装置においては、カバー部材の一端部を本体ハウジングに連結す
るヒンジ部を回動中心としてカバー部材を回動させることによって、原稿台に対してカバ
ー部材を接離させることができる。これによって、画像読取装置は、利用者による格別な
作業や操作を介することなく、光源移動機構と撮像素子移動機構とを連動させることがで
きる。また、これによって、利用者は、容易な作業で、光源移動機構と撮像素子移動機構
とを連動させ、高精度な画像データを得ることができる。
【００１７】
また、上述した画像読取装置における前記駆動源は、前記本体ハウジングに設けられて
いることを特徴とする。
【００１８】
したがって、画像読取装置においては、カバー部材の重量を軽減することができる。こ
れによって、画像読取装置は、カバー部材の回動にともなう利用者の負担を軽減すること
ができる。また、これによって、利用者は、少ない負担でカバー部材を回動させ、光源移
動機構と撮像素子移動機構とを連動させて、高精度な画像データを得ることができる。
【００１９】
また、上述した画像読取装置における前記駆動源は、前記カバー部材に設けられている
ことを特徴としてもよい。
【００２０】
したがって、画像読取装置においては、本体ハウジング内に設ける部材数を少なくする
ことができる。これによって、画像読取装置は、本体ハウジング内が過密状態になること
による発熱などに起因する画像読取装置の破損を防止することができる。また、これによ
って、利用者は、消費電力を抑制した小型の画像読取装置を安心して使用し、原稿台に対
してカバー部材を接離させる作業だけで、高精度な画像データを得ることができる。
【００２１】
また、上述した画像読取装置における前記光源は、ＬＥＤによって構成されていること
を特徴とする。
【００２２】
したがって、画像読取装置においては、点灯直後から原稿の読み取りが可能になる。こ
れによって、画像読取装置は、原稿の読み取りを迅速に開始するとともに、読み取り精度
の向上を図ることができる。これによって、利用者は、必要最小限の時間で、高精度な画
像データを得ることができる。
【００２３】
また、この発明にかかる複合機は、上述した画像読取装置と、前記画像読取装置が備え
る撮像素子に入射された光の強弱に応じた画像を記録媒体上に形成する画像形成装置と、
を備えることを特徴とする。
【００２４】
したがって、複合機においては、画像形成装置におけるカバー部材の接離状態に応じて
、光源移動機構と撮像素子移動機構とを連動させることができる。これによって、複合機
は、駆動源の共通化による複合機の小型化、および駆動源の共通化にともなう消費電力の
低減を図ることができる。これによって、利用者は、消費電力を抑制した小型の複合機を
使用して、原稿台に対してカバー部材を接離させる作業だけで、高精度な画像データを得
ることができる。
【発明を実施するための最良の形態】
【００２５】
（実施の形態１）
以下に添付図面を参照して、この発明にかかる画像読取装置の好適な実施の形態１を詳
細に説明する。この実施の形態１は、この発明にかかる画像読取装置を実現するスキャナ
装置への適用例を示す。
【００２６】
図１は、実施の形態１にかかるスキャナ装置の外観を示す斜視図である。はじめに、図
１を用いて、実施の形態１にかかるスキャナ装置の外観について説明する。図１に示すよ
うに、スキャナ装置１００は、本体ユニット１１０と、カバー部材としての透過型原稿用
光源ユニット（以下、「ＴＰＵユニット」という）１２０と、を備えている。
【００２７】
ＴＰＵユニット１２０は、本体ユニット１１０に対して対向配置されており、ヒンジ部
（図３参照）を介して、本体ユニット１１０に連結されている。ＴＰＵユニット１２０は
、ヒンジ部を支点にして、図１に示す状態から本体ユニット１１０に対して離反する方向
に回動可能に連結されている。
【００２８】
図２は、実施の形態１にかかるスキャナ装置１００の縦断正面図である。つぎに、図２
を用いて、実施の形態１のスキャナ装置１００の概略構成について説明する。図２に示す
ように、スキャナ装置１００は、本体ユニット１１０の外郭をなす本体ハウジング２１０
と、ＴＰＵユニット１２０の外郭をなすＴＰＵハウジング２３０と、を備えている。
【００２９】
本体ハウジング２１０およびＴＰＵハウジング２３０は、それぞれ、上下方向に分離可
能な２つのパーツを主体として形成されている。格別な符号は省略するが、以降、適宜、
本体ハウジング２１０およびＴＰＵハウジング２３０の上側を構成する部分を、上側本体
ハウジング、上側ＴＰＵハウジングとして説明する。同様に、本体ハウジング２１０およ
びＴＰＵハウジング２３０の下側を構成する部分を、下側本体ハウジング、下側ＴＰＵハ
ウジングとして説明する。
【００３０】
はじめに、本体ユニット１１０の概略構成について説明する。本体ユニット１１０にお
ける本体ハウジング２１０は、ＴＰＵハウジング２３０に向かって開口する開口部２１１
を備えている。開口部２１１には、開口部２１１を閉塞するように原稿台ガラス２１２が
設けられている。
【００３１】
この実施の形態１では、開口部２１１および原稿台ガラス２１２によって読取窓が実現
され、本体ハウジング２１０における開口部２１１周辺部によって枠部材が実現されてい
る。原稿台ガラス２１２上には、読み取り対象となる原稿が載置される。
【００３２】
本体ハウジング２１０および原稿台ガラス２１２によって形成される空間２１３には、
原稿台ガラス２１２に載置された原稿の画像を光学的に読み取るための光学部材２１４が
設けられている。光学部材２１４としては、原稿台ガラス２１２に向けて光を照射する反
射用光源２１５、反射用光源２１５から照射され原稿において反射された光を所定の経路
に導く複数のミラー２１６、ミラー２１６によって導かれた光を受光する撮像素子２１７
、ミラー２１６によって導かれた光を撮像素子２１７に結像させるレンズ２１８などが挙
げられる。
【００３３】
撮像素子２１７としては、たとえば、受光面に結像された光学像を光電変換して、素子
ごとの受光量に応じた電気信号を出力するフォトダイオードを用いることが可能である。
スキャナ装置１００においては、前述のフォトダイオードが、走査回路基板２１９上にお
いて、主走査方向に沿って直線的に配列されたリニアイメージセンサが、撮像素子２１７
として用いられている。
【００３４】
また、空間２１３には、スキャナキャリッジ２２０が設けられている。スキャナキャリ
ッジ２２０は、原稿台ガラス２１２と平行であって、かつ、副走査方向に延出するキャリ
ッジガイド２２１に沿って摺動自在に設けられている。
【００３５】
スキャナキャリッジ２２０には、モータ２２２に連結された撮像素子移動機構２２３を
介して、動力源としてのモータ２２２で発生させた駆動力が伝達される。説明は後述する
が、撮像素子移動機構２２３は、モータ２２２の駆動軸に連結されたギア列や、ギア列を
構成するギアと従動ギア２２４との間に架けられた駆動ベルト２２５などによって構成さ
れている（図３参照）。スキャナキャリッジ２２０は、駆動ベルト２２５に連結されてい
る。
【００３６】
スキャナキャリッジ２２０は、モータ２２２で発生させた駆動力が撮像素子移動機構２
２３を介して伝達されることによって、原稿台ガラス２１２に沿って副走査方向に移動す
る。上述した光学部材２１４は、スキャナキャリッジ２２０に搭載されている。光学部材
２１４は、スキャナキャリッジ２２０の移動にともなって、原稿台ガラス２１２に沿って
副走査方向に移動する。
【００３７】
つぎに、ＴＰＵユニット１２０の概略構成について説明する。ＴＰＵユニット１２０に
おけるＴＰＵハウジング２３０には、本体ハウジング２１０に対向する側に、本体ハウジ
ング２１０に向かって開口する開口部２３１が設けられている。また、ＴＰＵハウジング
２３０は、開口部２３１を覆う位置に、保護マット２３２が設けられている。保護マット
２３２は、ＴＰＵハウジング２３０に対して着脱自在に設けられている。
【００３８】
ＴＰＵハウジング２３０には、光源としての透過用光源部（図３参照）が設けられてい
る。透過用光源部は、写真用フィルムなどのような光透過型の原稿の読み取り動作に際し
て使用され、原稿台ガラス２１２に向けて光を照射する。透過用光源部は、原稿台ガラス
２１２に沿って副走査方向に移動可能に設けられている。
【００３９】
ＴＰＵハウジング２３０には、上述したモータ２２２の駆動力を透過用光源部に伝達す
る動力伝達機構（図３参照）が設けられている。詳細な図示および説明を省略するが、Ｔ
ＰＵユニット１２０に設けられた動力伝達機構は、たとえば、撮像素子移動機構２２３に
連結されたプーリ群や駆動ベルト２３３および駆動ベルト２３３が架けられたギア対など
によって構成されている（一部図３参照）。
【００４０】
この実施の形態１において、ＴＰＵハウジング２３０に設けられた動力伝達機構は、保
護マット２３２がＴＰＵハウジング２３０から取り外されている場合にモータ２２２に連
結され、モータ２２２の駆動力を透過用光源部に伝達するように構成されている。この場
合、透過用光源部は、保護マット２３２がＴＰＵハウジング２３０から取り外されている
場合に限って、スキャナキャリッジ２２０とともに、モータ２２２の駆動力を受けて副走
査方向に移動する。
【００４１】
フィルムのような光透過型の原稿（以下、「フィルム」という）の読み取り動作に際し
ては、原稿台ガラス２１２の上、すなわち、本体ユニット１１０とＴＰＵユニット１２０
の間にフィルムフォルダ２４０が設置される。フィルムフォルダ２４０は、原稿台ガラス
２１２上におけるフィルム用の読取位置にフィルムが設置されるように、フィルムの設置
位置を案内するとともに、設置されたフィルムを読取位置に固定する部材である。
【００４２】
図３は、スキャナ装置１００を一部断面して示す斜視図である。図３においては、ＴＰ
Ｕハウジング２３０における上側ＴＰＵハウジングを取り外し、本体ハウジング２１０の
一部を断面した状態が示されている。図３中符号３００は、本体ユニット１１０とＴＰＵ
ユニット１２０とを連結するヒンジ部である。以下に、図３を用いて、モータ２２２の駆
動力が伝達される各部について説明する。
【００４３】
図３に示すように、本体ハウジング２１０に設けられた撮像素子移動機構２２３は、モ
ータ２２２の駆動軸に固定されたギア３０１、ギア３０１に連結されたギア列３０２〜３
０６によって構成されている。ギア３０６の回転軸心となる軸には、上述した駆動ベルト
２２５が架けられたギアが設けられている。
【００４４】
撮像素子移動機構２２３は、モータ２２２において発生された駆動力を、ギア３０１〜
３０６を介して駆動ベルト２２５に伝達することで、駆動ベルト２２５を回転させる。こ
れによって、駆動ベルト２２５に連結されたスキャナキャリッジ２２０を、副走査方向に
沿って移動させることができる。
【００４５】
また、ギア３０６の回転軸心となる軸には、当該軸を回転軸心とするプーリ３０７が設
けられている。プーリ３０７には、プーリ３０７の回転にともなって回転する複数のプー
リ群３０８を介して、連結機構３０９を構成するギア３１０が連結されている。ギア３１
０は、本体ハウジング２１０の上面においてＴＰＵユニット１２０側に向けて開口する開
口部３１１、３１２を介してＴＰＵユニット１２０側に設けられたギア３１３と噛み合う
ことによって、連結機構３０９を構成する。
【００４６】
ＴＰＵハウジング２３０には、上述した駆動ベルト２３３が架けられたギア対における
一方のギア３１４とギア３１３とを連結するプーリ群３１５が設けられている。ギア対に
おける他方のギア３１６は、駆動ベルト２３３の回転に従動して回転する。ギア３１４と
ギア３１６とは、副走査方向に沿って対向配置されている。ここに、駆動ベルト２３３、
ギア対を構成するギア３１４、３１６、およびプーリ群３１５によって光源移動機構が構
成されている。
【００４７】
図３中符号３１７は、ギア３１３、プーリ群３１５を構成するプーリ、ギア３１４など
の軸を支持するステイである。ギア３１３は、ステイ３１７に対して接離可能に設けられ
ている。これにより、ギア３１０とギア３１３とを分離可能に噛み合わせることができる
。
【００４８】
図３中符号３１８は、上述した透過用光源部を示している。透過用光源部３１８は、透
過用光源部３１８に設けられた固定部３１９において、駆動ベルト２３２に連結されてい
る。これにより、透過用光源部３１８は、駆動ベルト２３２の回転に伴って副走査方向に
沿って移動する。
【００４９】
ＴＰＵハウジング２３０には、駆動ベルト２３２の側方であって、かつ、透過用光源部
３１８の移動軌跡に重複する位置において、副走査方向に沿って延出するガイドレール３
２０が設けられている。ガイドレール３２０には、透過用光源部３１８において、ガイド
レール３２０に対向する位置に設けられた溝３２１が嵌め込まれる。これによって、透過
用光源部３１８を副走査方向に沿って安定して移動させることができる。
【００５０】
透過用光源部３１８から照射された光は、ＴＰＵハウジング２３０に設けられた開口部
３２２を介して、原稿台ガラス２１２側に導かれる。開口部３２２は、透過用光源部３１
８のうち、フィルムの読み取り範囲をカバーするように設けられている。
【００５１】
図４は、透過用光源部３１８を示す分解斜視図である。図４を用いて、透過用光源部３
１８の構成について説明する。図４に示すように、透過用光源部３１８は、ＬＥＤ４０１
と、ＬＥＤ４０１によって発光された光を伝播させる導光板４０２と、を備えている。導
光板４０２によって、ＬＥＤ１個あたりの照射面積よりも広い面積を照射することができ
る。なお、図４中、導光板４０２に表記された仮想線は、導光板４０２における有効発光
エリアを示している。
【００５２】
導光板４０２中を伝播された光は、プリズムシート４０３および拡散シート４０４を介
して、支持フレーム４０５に設けられた開口部４０６から、原稿台ガラス２１２に向けて
照射される。プリズムシート４０３および拡散シート４０４を介することにより、導光板
４０２中を伝播された光をより広い面積に照射することができる。
【００５３】
透過用光源部３１８において、導光板４０２を間にして開口部４０６とは反対側には、
導光板４０２中を伝播された光を開口部４０６へ向けて反射させる反射板４０７が設けら
れている。反射板４０７を設けることによって、導光板４０２中を伝播された光を、効率
よく原稿台ガラス２１２側へ照射することができる。上述した固定部３１９は、支持フレ
ーム４０５の側方に設けられており、原稿台ガラス２１２側から駆動ベルト２３３を狭持
するように、上方に向けて開口している。
【００５４】
図５は連結機構３０９を拡大して示す斜視図（その１）、図６は連結機構３０９を拡大
して示す斜視図（その２）である。図５は、ギア３１０とギア３１３とが噛み合わされた
状態を示している。図６は、ギア３１０とギア３１３とが離間された状態を示している。
【００５５】
図５および図６から分かるように、連結機構３０９におけるギア３１３には、ＴＰＵユ
ニット１１０に向けて突出するギア歯５０１が設けられている。連結機構３０９における
ギア３１０には、ギア歯５０１が噛み合わされる凹部６０１が形成されている。凹部６０
１の間に位置し、凹部６０１を形成するリブ６０２の上部は、中央部程ギア３１３側へ突
出する山形形状とされている。これによって、ギア３１０とギア３１３とがスムーズに噛
み合うように、ギア歯５０１を凹部６０１に誘導することができる。
【００５６】
図示を省略するが、スキャナ装置１００は、上述した構成に加えて、利用者による各種
指示操作を受け付ける操作パネルや、スキャナ装置１００における各部を駆動制御する各
種制御回路や、操作パネルによって受け付けた指示操作に応じて各種制御回路を制御する
制御系などを備えている。操作パネルでは、紙などの光を透過しない原稿（反射型の原稿
）の画像を読み取る指示操作や、フィルムの画像を読み取る指示操作などを受け付ける。
【００５７】
加えて、図示を省略するが、スキャナ装置１００は、パーソナルコンピュータなどの外
部装置との間で通信をおこなう通信Ｉ／Ｆを備えていてもよい。この場合、スキャナ装置
１００は、パーソナルコンピュータにおいて受け付けた指示操作に応じたコマンドを、通
信Ｉ／Ｆを介して受信する。
【００５８】
スキャナ装置１００は、操作パネルを介して受け付けた指示操作や、通信Ｉ／Ｆを介し
て受信したコマンドに応じて、スキャナキャリッジ２２０を移動させたり、反射用光源２
１５や透過用光源部３１８を点灯／消灯させたり、撮像素子２１７に結像された光を光電
変換することによって画像データを生成したりする。
【００５９】
スキャナ装置１００は、生成された画像データを、任意の記憶媒体に記憶するようにし
てもよいし、通信Ｉ／Ｆを介してパーソナルコンピュータなどの外部装置に送信するよう
にしてもよい。
【００６０】
このような構成を備えたスキャナ装置１００によってフィルムの画像を読み取る場合、
利用者は、原稿台ガラス２１２上にフィルムフォルダ２４０を設置し、フィルムフォルダ
２４０によって案内される所定の位置にフィルムを設置する。また、利用者は、フィルム
の設置に前後して、ＴＰＵハウジング２３０から保護マット２３２を取り外す。
【００６１】
つづいて、図１あるいは図２に示したように、ＴＰＵユニット１２０を本体ユニット１
１０に対向させる。これにより、連結機構３０９におけるギア３１０とギア３１３とが噛
み合わされ、撮像素子移動機構２２３と光源移動機構とが連結される。
【００６２】
その後、利用者は、フィルムの画像を読み取る指示操作をおこなう。指示操作は、スキ
ャナ装置１００が備える操作パネルを介しておこなってもよいし、パーソナルコンピュー
タなどの外部装置においておこなってもよい。
【００６３】
フィルムの画像を読み取る指示操作があった場合、スキャナ装置１００は、モータ２２
２を駆動させ、スキャナキャリッジ２２０および透過用光源部３１８を副走査方向に沿っ
て移動させながら、撮像素子２１７の受光量を検出する。そして、検出された受光量に基
づいて画像データを生成する。
【００６４】
なお、画像データの生成に先立って、画像データにおける黒色や白色の基準となる各種
基準データを取得し、取得された基準データを用いて画像データのシェーディング補正を
おこなってもよい。基準データの取得および取得された基準データを用いたシェーディン
グ補正については、公知の技術であるため、ここでは説明を省略する。
【００６５】
上述したように、実施の形態１のスキャナ装置１００によれば、本体ユニット１１０に
対するＴＰＵユニット１２０の接離状態に応じて、光源移動機構と撮像素子移動機構２２
３とを連動させることができる。
【００６６】
これによって、スキャナ装置１００は、モータ２２２の共通化によるスキャナ装置１０
０の小型化、およびモータ２２２の共通化にともなう消費電力の低減を図ることができる
。これによって、利用者は、原稿台ガラス２１２に対してＴＰＵユニット１２０を接離さ
せる作業だけで光源移動機構と撮像素子移動機構２２３とを容易に連動させ、高精度な画
像データを得ることができる。
【００６７】
また、実施の形態１のスキャナ装置１００によれば、フィルムの読み取りが可能な状態
である場合に限って、光源移動機構と撮像素子移動機構２２３とを連動させることができ
る。これによって、スキャナ装置１００は、フィルムを読み取る場合に限って光源移動機
構と撮像素子移動機構２２３とを連動させることで、単一のモータ２２２によって光源移
動機構と撮像素子移動機構２２３とを駆動することによるモータ２２２に対する負荷を、
必要最小限に抑えることができる。これによって利用者は、消費電力を必要最小限に抑え
た画像読取装置を用いて、高精度な画像データを得ることができる。
【００６８】
また、実施の形態１のスキャナ装置１００によれば、ヒンジ部３００を回動中心として
ＴＰＵユニット１２０を本体ユニット１１０に対して回動させることで、利用者による格
別な作業や操作を介することなく、光源移動機構と撮像素子移動機構２２３とを連動させ
ることができる。これによって、利用者は、容易な作業で、光源移動機構と撮像素子移動
機構２２３とを連動させ、高精度な画像データを得ることができる。
【００６９】
また、実施の形態１のスキャナ装置１００によれば、モータ２２２が本体ハウジング２
１０に設けられているためＴＰＵユニット１２０の重量を軽減し、ＴＰＵユニット１２０
の回動にともなう利用者の負担を軽減することができる。これによって、利用者は、少な
い負担でＴＰＵユニット１２０を回動させ、光源移動機構と撮像素子移動機構２２３とを
連動させて、高精度な画像データを得ることができる。
【００７０】
また、実施の形態１のスキャナ装置１００によれば、透過用光源部３１８は、ＬＥＤ３
０１によって構成されているため、ＬＥＤ３０１の点灯直後からフィルムの読み取りが可
能になる。これによって、スキャナ装置１００は、フィルムの読み取りを迅速に開始する
とともに、読み取り精度の向上を図ることができる。これによって、利用者は、必要最小
限の時間で、高精度な画像データを得ることができる。
【００７１】
（実施の形態２）
つぎに添付図面を参照して、この発明にかかる画像読取装置の好適な実施の形態２を詳
細に説明する。この実施の形態２は、この発明にかかる画像読取装置を実現するスキャナ
装置への適用例を示す。実施の形態２においては、上述した実施の形態１と同一部分は同
一符号で示し、説明も省略する。
【００７２】
図７は、実施の形態２にかかるスキャナ装置１００を一部断面して示す斜視図である。
図７においては、ＴＰＵハウジング２３０における上側ＴＰＵハウジングを取り外し、本
体ハウジング２１０の一部を断面した状態が示されている。以下に、図７を用いて、モー
タ２２２の駆動力が伝達される各部について説明する。
【００７３】
図７に示すように、プーリ３０７には、複数のプーリ群３０８を介して、連結機構３０
９の一部を構成する磁性体７１０が連結されている。磁性体７１０は、プーリ群３０８を
介してモータ２２２の駆動力が伝達されることによって、プーリ群３０８の軸心方向と平
行な軸心回りに回転する。
【００７４】
磁性体７１０は、本体ハウジング２１０の上面においてＴＰＵユニット１２０側に向け
て開口する開口部３１１、３１２を介して、ＴＰＵユニット１２０側に設けられた磁性体
７１３に対向配置されている。磁性体７１０と磁性体７１３とは、互いを引き合う引力に
よって分離可能に連結されている。ここに、プーリ３０７、プーリ群３０８、磁性体７１
０、開口部３１１、３１２および磁性体７１３によって連結機構７０９が構成されている
。磁性体７１３は、磁性体７１０の軸心方向と平行な軸心回りに回転自在に設けられてい
る。
【００７５】
連結機構７０９を構成する磁性体７１０および７１３は、互いを引きつける磁力をとも
に有していてもよいし、少なくともいずれか一方が他方を引きつける磁力を有していても
よい。磁性体７１０または７１３の一方が磁力を有している場合、他方は、たとえば、鉄
などのように、磁力によって引きつけられる性質を有している材料によって形成する。
【００７６】
連結機構７０９は、撮像素子移動機構２２３から伝達されたトルクが所定より大きい場
合に、磁性体７１０と磁性体７１３との間で滑りを生じさせ、所定の大きさ以上のトルク
をプーリ群３１５に伝達しないトルクリミッタ機能を有している。ここで、所定の大きさ
のトルクとは、透過用光源部３１８を移動させるために必要なトルクである。
【００７７】
連結機構７０９におけるトルクリミッタ機能によって、所定の大きさ以上のトルクが伝
達された場合にも、透過用光源部３１８、プーリ群３１５、あるいは駆動ベルト２３３が
架けられたギア対など、透過用光源部３１８の移動に関わる各部の破損を防止することが
できる。
【００７８】
図８は連結機構３０９を拡大して示す斜視図（その１）、図９は連結機構７０９を拡大
して示す斜視図（その２）である。図８は、磁性体７１０と磁性体７１３とが磁力によっ
て連結された状態を示している。図９は、磁性体７１０と磁性体７１３とが離間された状
態を示している。
【００７９】
図８および図９から分かるように、連結機構７０９における磁性体７１３は、ステイ３
１７から離間している場合に磁性体７１０に連結され、ステイ３１７近傍に位置している
場合に磁性体７１０が離間される。磁性体７１０、７１３において、互いに対向する面は
、平面とされている（符号９０１参照）。これによって、引力を作用させる面を広く確保
し、磁性体７１０と磁性体７１３とを確実に連結させることができる。
【００８０】
このような構成を備えたスキャナ装置１００によってフィルムの画像を読み取る場合、
利用者は、上述した実施の形態１と同様にしてフィルムを設置するとともに、ＴＰＵハウ
ジング２３０から保護マット２３２を取り外してから、ＴＰＵユニット１２０を回動させ
てＴＰＵユニット１２０を本体ユニット１１０に対向させる。これにより、連結機構７０
９における磁性体７１０と磁性体７１３との間に引力が作用し、撮像素子移動機構２２３
と光源移動機構とが連結される。
【００８１】
上述したように、実施の形態２のスキャナ装置１００によれば、実施の形態１と同様に
、本体ユニット１１０に対するＴＰＵユニット１２０の接離状態に応じて、光源移動機構
と撮像素子移動機構２２３とを連動させることで、モータ２２２の共通化によるスキャナ
装置１００の小型化、およびモータ２２２の共通化にともなう消費電力の低減を図ること
ができる。
【００８２】
これによって、利用者は、原稿台ガラス２１２に対してＴＰＵユニット１２０を接離さ
せる作業だけで光源移動機構と撮像素子移動機構２２３とを容易に連動させ、高精度な画
像データを得ることができる。
【００８３】
なお、実施の形態１および２のスキャナ装置１００では、モータ２２２が本体ハウジン
グ２１０に設けられている構成例について説明したが、これに限るものではない。モータ
２２２は、ＴＰＵハウジング２３０に設けられていてもよい。このようなスキャナ装置に
おいては、本体ハウジング２１０内に設ける部材数を少なくすることができる。
【００８４】
これによって、スキャナ装置１００は、本体ハウジング２１０内が過密状態になること
による発熱などに起因するスキャナ装置の破損を防止することができる。また、これによ
って、利用者は、消費電力を抑制した小型のスキャナ装置を安心して使用し、原稿台ガラ
ス２１２に対してＴＰＵユニット１２０を回動させる作業だけで、高精度な画像データを
得ることができる。
【００８５】
（実施の形態３）
つぎに添付図面を参照して、この発明にかかる画像読取装置の好適な実施の形態３を詳
細に説明する。この実施の形態３は、この発明にかかる画像読取装置および複合機を実現
する複合機への適用例を示す。実施の形態３においては、上述した実施の形態１、２と同
一部分は同一符号で示し、説明も省略する。
【００８６】
図１０は、実施の形態３にかかる複合機の外観を示す斜視図である。実施の形態３にか
かる複合機１０００は、上述した実施の形態１、２で説明したスキャナ装置１００と、ス
キャナ装置１００が備える撮像素子２１７に入射された光の強弱に応じた画像を被記録媒
体上に形成する画像形成装置としてのプリンタ１００１と、を備えている。
【００８７】
スキャナ装置１００とプリンタ１００１とは、図示しない通信Ｉ／Ｆを介して相互通信
可能に接続されている。スキャナ装置１００は、撮像素子２１７に入射された光の強弱に
応じた画像データをプリンタ１００１へ出力する。
【００８８】
プリンタ１００１は、紙などの被記録媒体に画像を形成するプリンタエンジンを備えて
いる。公知の技術であるため図示および説明を省略するが、プリンタエンジンにおける画
像形成方式は、たとえば、インクジェット方式、静電転写方式、昇華転写方式など、各種
の方式を適用することができる。
【００８９】
このような構成を備える複合機１０００において、プリンタ１００１は、スキャナ装置
１００から出力された画像データに基づいて、紙などの被記録媒体に画像を形成する。
【００９０】
このような複合機１０００によれば、原稿の種類に拘わらず、原稿の画像を高精度に再
現した画像データに基づく画像を、紙などの被記録媒体に形成することができる。また、
これによって、利用者は、原稿の種類に拘わらず、原稿の画像を高精度に再現した画像デ
ータに基づく画像が形成された被記録媒体を得ることができる。
【図面の簡単な説明】
【００９１】
【図１】実施の形態１にかかるスキャナ装置の外観を示す斜視図。
【図２】実施の形態１にかかるスキャナ装置の縦断正面図。
【図３】スキャナ装置を一部断面して示す斜視図。
【図４】透過用光源ユニットを示す分解斜視図。
【図５】連結機構を拡大して示す斜視図（その１）。
【図６】連結機構を拡大して示す斜視図（その２）。
【図７】実施の形態２にかかるスキャナ装置を一部断面して示す斜視図。
【図８】連結機構を拡大して示す斜視図（その１）。
【図９】連結機構を拡大して示す斜視図（その２）。
【図１０】実施の形態３にかかる複合機の外観を示す斜視図。
【符号の説明】
【００９２】
２１２  原稿台ガラス、１２０  ＴＰＵユニット、３１８  透過用光源部、２１７  撮像
素子、１００  スキャナ装置、２２３  撮像素子移動機構、２２２  モータ、３０９  連
結機構  ３００  ヒンジ部、１０００  複合機、１００１  プリンタ
【図１】
2007281664.tif 000003
【図２】
2007281664.tif 000004
【図３】
2007281664.tif 000005
【図４】
2007281664.tif 000006
【図５】
2007281664.tif 000007
【図６】
2007281664.tif 000008
【図７】
2007281664.tif 000009
【図８】
2007281664.tif 000010
【図９】
2007281664.tif 000011
【図１０】
2007281664.tif 000012